(57)【要約】【課題】光分岐挿入機能を備えた光伝送装置に関し、任意の分岐挿入部へ／から任意の方路に対して任意波長の信号光を分岐／挿入することができ、方路数の増減及び波長数の増減に容易に対応し得るようにすると共に装置構成を簡素化・小型化する。【解決手段】各方路（Ｒ＃１）対応に設けた方路切り換え用の波長選択スイッチ１−１と、各分岐挿入部（Ａ＃１，Ｄ＃１）対応に設けた分岐挿入用の波長選択スイッチ１−２と、それらの波長選択スイッチ１−１，１−２の入出力光信号光を合波・分波する光カプラ１−５とを用い、該方路切り換え用の波長選択スイッチ１−１と分岐挿入用の波長選択スイッチ１−２とで入出力される信号光が１つの光伝送路内で双方向伝送される構成とする。入側方路（Ｒ＃１in）と出側方路（Ｒ＃１out）の信号光、及び挿入部（Ａ＃１）と分岐部（Ｄ＃１）の信号光を、それぞれ光サーキュレータ１−３，１−４で結合する。【選択図】図１
2008060773.tif 000002
【特許請求の範囲】
【請求項１】
第１の入側方路からの信号光を第２乃至第Ｎ（Ｎは３以上の整数）の出側方路へ、第２乃至第Ｎの入側方路からの信号光を第１の出側方路へ、波長毎に選択して出力する方路対応の方路切り換え用の波長選択スイッチと、
挿入部からの信号光を、前記方路切り換え用の波長選択スイッチを介して、前記第１乃至第Ｎの出側方路へ波長毎に選択して出力し、かつ、前記第１乃至第Ｎの入側方路から前記方路切り換え用の波長選択スイッチを介して入力される信号光を波長毎に選択して分岐部へ出力する分岐挿入用の波長選択スイッチと、
前記方路切り換え用の波長選択スイッチから出力される各出側方路への各信号光と、前記分岐挿入用の波長選択スイッチから出力される各出側方路への各信号光とを、方路毎に合波して他方路の方路切り換え用の波長選択スイッチへ送出し、かつ他方路から入力される前記合波された信号光を、前記方路切り換え用の波長選択スイッチ及び分岐挿入用の波長選択スイッチへ分波して入力する光カプラとを備え、
前記方路切り換え用の波長選択スイッチ及び前記分岐挿入用の波長選択スイッチで入出力される信号光が１つの光伝送路内で双方向に伝送される構成としたことを特徴とする光分岐挿入機能を備えた光伝送装置。
【請求項２】
前記入側方路からの信号光を前記方路切り換え用の波長選択スイッチへ入力し、かつ該方路切り換え用の波長選択スイッチからの信号光を前記出側方路へ出力する方路対応の光サーキュレータを備えたことを特徴とする請求項１に記載の光分岐挿入機能を備えた光伝送装置。
【請求項３】
前記挿入部からの信号光を前記分岐挿入用の波長選択スイッチへ入力し、かつ該分岐挿入用の波長選択スイッチからの信号光を前記分岐部へ出力する分岐挿入用の光サーキュレータを備えたことを特徴とする請求項１に記載の光分岐挿入機能を備えた光伝送装置。
【請求項４】
前記入側方路からの信号光を前記方路切り換え用の波長選択スイッチへ入力し、該方路切り換え用の波長選択スイッチから前記入側方路への信号光を遮断する光アイソレータと、
前記入側方路からの信号光を前記方路切り換え用の波長選択スイッチへ入力し、かつ該方路切り換え用の波長選択スイッチからの信号光を前記入側方路と出側方路とに分岐して出力する光カプラとを、
各方路対応に備えたことを特徴とする請求項１に記載の光分岐挿入機能を備えた光伝送装置。
【請求項５】
前記挿入部からの信号光を前記分岐挿入用の波長選択スイッチへ入力し、該分岐挿入用の波長選択スイッチから前記挿入部への信号光を遮断する光アイソレータと、
前記挿入部からの信号光を前記分岐挿入用の波長選択スイッチへ入力し、かつ該分岐挿入用の波長選択スイッチからの信号光を前記挿入部と前記分岐部とに分岐して出力する光カプラとを、
備えたことを特徴とする請求項１に記載の光分岐挿入機能を備えた光伝送装置。
【発明の詳細な説明】
【技術分野】
【０００１】
本発明は、光分岐挿入機能を備えた光伝送装置に関し、特に、波長多重（ＷＤＭ：Wavelength Division Multiplex）光伝送システムにおける波長クロスコネクト（ＷＸＣ：Wavelength Cross-Connect）機能、及び光分岐挿入（ＯＡＤＭ：Optical Add and Drop Multiplexing）の機能を備えた光伝送装置に関する。
【背景技術】
【０００２】
波長多重（ＷＤＭ）光伝送システムは、ノード（都市等に設置された光伝送装置）間を光伝送路で接続し、波長多重（ＷＤＭ）信号光を送受する基幹光ネットワークにおいて、各方路から入力された信号光を波長毎に出力先方路を切り換えて所定の方路へ送出する波長クロスコネクト（ＷＸＣ）機能、及び任意の方路へ任意の波長の信号光を挿入（アド）して送出し、かつ、任意の方路からの任意の波長の信号光を分岐（ドロップ）して取り込む光分岐挿入（ＯＡＤＭ）機能を備えるとともに、システムの拡張を容易に行うことができかつ低コストでシステム構築可能な構成が要求されている。
【０００３】
また、基幹光ネットワークの或るノード間で伝送障害が発生した場合、そのノード間の伝送経路を瞬時に迂回経路に切り換えると同時に、その迂回経路で使用可能な波長の信号光に瞬時に切り換える機能を備えることが強く要求されている。この機能の実現化のための方路切り換え手段のデバイスとして、入側方路数×波長数の入力ポート及び出側方路数×波長数の出力ポートを有する光マトリックススイッチの代わりに、入力された任意の波長の信号光を任意の方路に切り換えて出力することができる波長選択スイッチ（ＷＳＳ：Wavelength Selective Switch）や、入力された波長多重信号光の中から任意の波長の信号光の通過を阻止（ブロック）することができる波長ブロッカー等の研究開発が盛んに行われている。
【０００４】
図６に波長選択スイッチ（ＷＳＳ）を適用した従来の光伝送装置の構成例を示す。同図は、方路数が４で信号光の波長（チャネル）数が４０の場合の構成例を示している。同図に示すように、中心部には、入力ポート数が１で出力ポート数が４の第１乃至第４の入側波長選択スイッチ（１×４ＷＳＳ）６−１１，６−１２，６−１３，６−１４と、入力ポート数が４で出力ポート数が１の第１乃至第４の出側波長選択スイッチ（４×１ＷＳＳ）６−２１，６−２２，６−２３，６−２４とを備える。
【０００５】
第１の入側波長選択スイッチ（１×４ＷＳＳ）６−１１の入力ポートには、第１の方路（Ｒ＃１）から信号光が入力され、その各出力ポートからは、自方路以外の各方路（Ｒ＃２，Ｒ＃３，Ｒ＃４）の出側波長選択スイッチ（４×１ＷＳＳ）６−２２，６−２３，６−２４の入力ポート、及び第１の分岐部（Ｄ＃１）の光分波器６−４１へ信号光が出力される。
【０００６】
同様に、第２の入側波長選択スイッチ（１×４ＷＳＳ）６−１２の入力ポートには、第２の方路（Ｒ＃２）から信号光が入力され、その各出力ポートからは、自方路以外の各方路（Ｒ＃１，Ｒ＃３，Ｒ＃４）の出側波長選択スイッチ（４×１ＷＳＳ）６−２１，６−２３，６−２４の入力ポート、及び第２の分岐部（Ｄ＃２）の光分波器６−４２へ信号光が出力される。
【０００７】
同様に、第３の入側波長選択スイッチ（１×４ＷＳＳ）６−１３の入力ポートには、第３の方路（Ｒ＃３）から信号光が入力され、その各出力ポートからは、自方路以外の各方路（Ｒ＃１，Ｒ＃２，Ｒ＃４）の出側波長選択スイッチ（４×１ＷＳＳ）６−２１，６−２２，６−２４の入力ポート、及び第３の分岐部（Ｄ＃３）の光分波器６−４３へ信号光が出力される。
【０００８】
同様に、第４の入側波長選択スイッチ（１×４ＷＳＳ）６−１４の入力ポートには、第４の方路（Ｒ＃４）から信号光が入力され、その各出力ポートからは、自方路以外の各方路（Ｒ＃１，Ｒ＃２，Ｒ＃３）の出側波長選択スイッチ（４×１ＷＳＳ）６−２１，６−２２，６−２３の入力ポート、及び第４の分岐部（Ｄ＃４）の光分波器６−４４へ信号光が出力される。
【０００９】
一方、第１の出側波長選択スイッチ（４×１ＷＳＳ）６−２１の各入力ポートには、自方路以外の各方路（Ｒ＃２，Ｒ＃３，Ｒ＃４）の入側波長選択スイッチ（１×４ＷＳＳ）６−１２，６−１３，６−１４の出力ポートからの信号光、及び第１の挿入部（Ａ＃１）の光合波器６−３１からの信号光が入力される。
【００１０】
同様に、第２の出側波長選択スイッチ（４×１ＷＳＳ）６−２２の各入力ポートには、自方路以外の各方路（Ｒ＃１，Ｒ＃３，Ｒ＃４）の入側波長選択スイッチ（１×４ＷＳＳ）６−１１，６−１３，６−１４の出力ポートからの信号光、及び第２の挿入部（Ａ＃２）の光合波器６−３２からの信号光が入力される。
【００１１】
同様に、第３の出側波長選択スイッチ（４×１ＷＳＳ）６−２３の各入力ポートには、自方路以外の各方路（Ｒ＃１，Ｒ＃２，Ｒ＃４）の入側波長選択スイッチ（１×４ＷＳＳ）６−１１，６−１２，６−１４の出力ポートからの信号光、及び第３の挿入部（Ａ＃３）の光合波器６−３３からの信号光が入力される。
【００１２】
同様に、第４の出側波長選択スイッチ（４×１ＷＳＳ）６−２４の各入力ポートには、自方路以外の各方路（Ｒ＃１，Ｒ＃２，Ｒ＃３）の入側波長選択スイッチ（１×４ＷＳＳ）６−１１，６−１２，６−１３の出力ポートからの信号光、及び第４の挿入部（Ａ＃４）の光合波器６−３４からの信号光が入力される。
【００１３】
なお、上記の構成において、第１乃至第４の挿入部（Ａ＃１，・・・Ａ＃４）のそれぞれは、挿入する信号光の出側方路が固定化されている。即ち、第１の挿入部（Ａ＃１）で挿入し得る出側方路は方路（Ｒ＃１）のみであり、第２の挿入部（Ａ＃２）で挿入し得る出側方路は方路（Ｒ＃２）のみであり、第３の挿入部（Ａ＃３）で挿入し得る出側方路は方路（Ｒ＃３）のみであり、第４の挿入部（Ａ＃４）で挿入し得る出側方路は方路（Ｒ＃４）のみである。
【００１４】
また、第１乃至第４の信号光分岐部（Ｄ＃１，・・・Ｄ＃４）のそれぞれは、分岐する信号光の入側方路が固定化されている。即ち、第１の分岐部（Ｄ＃１）で分岐し得る入側方路は方路（Ｒ＃１）のみであり、第２の分岐部（Ｄ＃２）で分岐し得る入側方路は方路（Ｒ＃２）のみであり、第３の分岐部（Ｄ＃３）で分岐し得る入側方路は方路（Ｒ＃３）のみであり、第４の分岐部（Ｄ＃４）で分岐し得る入側方路は方路（Ｒ＃４）のみである。
【００１５】
そのため、各挿入部（Ａ＃１，・・・Ａ＃４）のそれぞれで任意の出側方路に信号光を挿入して送信することができず、また、各分岐部（Ｄ＃１，・・・Ｄ＃４）のそれぞれで任意の入側方路から信号光を分岐して受信することができない。即ち、任意の挿入部及び分岐部で任意方路に対するＯＡＤＭ機能を実現することができない。
【００１６】
また、図６の構成例では、各挿入部（Ａ＃１，・・・Ａ＃４）には、波長λ１〜λ４０の固定波長の信号光を送信する４０個の送信器ＴＸを用い、挿入する信号光の波長の送信器ＴＸの出力を合波器６−３１，・・・６−３４で合波し、また、各分岐部（Ｄ＃１，・・・Ｄ＃４）には、波長λ１〜λ４０の固定波長の信号光を受信する４０個の受信器ＲＸを用い、信号光を分波器６−４１，・・・６−４４で分波して各受信器ＲＸで受信する構成のため、光合波器６−３１，・・・６−３４及び光分波器６−４１，・・・６−４４での大きな損失を補償するために、高価なＷＤＭ光増幅器６−５１，・・・６−５４、６−６１，・・・６−６４を設ける必要がある。
【００１７】
図６の構成例に対して、挿入部及び分岐部に波長選択スイッチを用い、任意方路に対して任意波長の信号光の挿入及び分岐を可能にした光伝送装置が下記の特許文献１の図１等に記載されている。同文献に記載のものは、図６の出側波長選択スイッチ（４×１ＷＳＳ）６−２１，・・・６−２４を用いず、それに代えて合波器を用いたものである。
【００１８】
また、下記の特許文献２には、波長数の拡張及び波長クロスコネクト機能の拡張を容易に行うことができ、かつ、伝送信号を切断することなく信号光の分岐挿入を行うことができるよう、入力ポートの入力光を出力ポートに通過させるスルーの経路と、所定波長の入力光を分岐させる分岐用出力ポートと、入力光に所定波長の信号光を挿入する挿入用入力ポートとを備えた光分岐挿入装置について開示されている。
【特許文献１】特開２００６−１４０５９８号公報  図１等
【特許文献２】特開２００６−８７０６２号公報  図５等
【００１９】
図６の構成例に対して、挿入部及び分岐部に波長選択スイッチを用い、かつ、各方路対応の入側波長選択スイッチ及び出側波長選択スイッチを用い、任意方路に対して任意波長の信号光の方路切換え及び分岐／挿入を可能にした光伝送装置の構成例を本発明の関連技術として図７に示す。
【００２０】
図７に示す光伝送装置の構成例は、図６の構成例と同様に方路数が４で信号光の波長（チャネル）数が４０の場合の構成例を示している。中心部には、入力ポート数が１で出力ポート数が７の第１乃至第４の入側波長選択スイッチ（１×７ＷＳＳ）７−１１，７−１２，７−１３，７−１４と、入力ポート数が７で出力ポート数が１の第１乃至第４の出側波長選択スイッチ（７×１ＷＳＳ）７−２１，７−２２，７−２３，７−２４とを備える。
【００２１】
第１の入側波長選択スイッチ（１×７ＷＳＳ）７−１１の入力ポートには、第１の方路（Ｒ＃１）から信号光が入力され、その各出力ポートからは、自方路以外の各方路（Ｒ＃２，Ｒ＃３，Ｒ＃４）の出側波長選択スイッチ（７×１ＷＳＳ）７−２２，７−２３，７−２４の入力ポート、及び第１乃至第４の分岐部（Ｄ＃１，Ｄ＃２，Ｄ＃３，Ｄ＃４）の波長選択スイッチ（４×１ＷＳＳ）７−４１，７−４２，７−４３，７−４４へ信号光が出力される。
【００２２】
同様に、第２の入側波長選択スイッチ（１×７ＷＳＳ）７−１２の入力ポートには、第２の方路（Ｒ＃２）から信号光が入力され、その各出力ポートからは、自方路以外の各方路（Ｒ＃１，Ｒ＃３，Ｒ＃４）への出側波長選択スイッチ（７×１ＷＳＳ）７−２１，７−２３，７−２４の入力ポート、及び第１乃至第４の分岐部（Ｄ＃１，Ｄ＃２，Ｄ＃３，Ｄ＃４）の波長選択スイッチ（４×１ＷＳＳ）７−４１，７−４２，７−４３，７−４４へ信号光が出力される。
【００２３】
同様に、第３の入側波長選択スイッチ（１×７ＷＳＳ）７−１３の入力ポートには、第３の方路（Ｒ＃３）から信号光が入力され、その各出力ポートからは、自方路以外の各方路（Ｒ＃１，Ｒ＃２，Ｒ＃４）への出側波長選択スイッチ（７×１ＷＳＳ）７−２１，７−２２，７−２４の入力ポート、及び第１乃至第４の分岐部（Ｄ＃１，Ｄ＃２，Ｄ＃３，Ｄ＃４）の波長選択スイッチ（４×１ＷＳＳ）７−４１，７−４２，７−４３，７−４４へ信号光が出力される。
【００２４】
同様に、第４の入側波長選択スイッチ（１×７ＷＳＳ）７−１４の各入力ポートには、第４の方路（Ｒ＃４）から信号光が入力され、その各出力ポートからは、自方路以外の各方路（Ｒ＃１，Ｒ＃２，Ｒ＃３）への出側波長選択スイッチ（７×１ＷＳＳ）７−２１，７−２２，７−２３の入力ポート、及び第１乃至第４の分岐部（Ｄ＃１，Ｄ＃２，Ｄ＃３，Ｄ＃４）の波長選択スイッチ（４×１ＷＳＳ）７−４１，７−４２，７−４３，７−４４へ信号光が出力される。
【００２５】
一方、第１の出側波長選択スイッチ（７×１ＷＳＳ）７−２１の各入力ポートには、自方路以外の各方路（Ｒ＃２，Ｒ＃３，Ｒ＃４）の入側波長選択スイッチ（１×７ＷＳＳ）７−１２，７−１３，７−１４の出力ポートからの信号光、及び第１乃至第４の挿入部（Ａ＃１，Ａ＃２，Ａ＃３，Ａ＃４）の波長選択スイッチ（１×４ＷＳＳ）７−３１，７−３２，７−３３，７−３４からの信号光が入力される。
【００２６】
同様に、第２の出側波長選択スイッチ（７×１ＷＳＳ）７−２２の各入力ポートには、自方路以外の各方路（Ｒ＃１，Ｒ＃３，Ｒ＃４）の入側波長選択スイッチ（１×７ＷＳＳ）７−１１，７−１３，７−１４の出力ポートからの信号光、及び第１乃至第４の挿入部（Ａ＃１，Ａ＃２，Ａ＃３，Ａ＃４）の波長選択スイッチ（１×４ＷＳＳ）７−３１，７−３２，７−３３，７−３４からの信号光が入力される。
【００２７】
同様に、第３の出側波長選択スイッチ（７×１ＷＳＳ）７−２３の各入力ポートには、自方路以外の各方路（Ｒ＃１，Ｒ＃２，Ｒ＃４）の入側波長選択スイッチ（１×７ＷＳＳ）７−１１，７−１２，７−１４の出力ポートからの信号光、及び第１乃至第４の挿入部（Ａ＃１，Ａ＃２，Ａ＃３，Ａ＃４）の波長選択スイッチ（１×４ＷＳＳ）７−３１，７−３２，７−３３，７−３４からの信号光が入力される。
【００２８】
同様に、第４の出側波長選択スイッチ（７×１ＷＳＳ）７−２４の各入力ポートには、自方路以外の各方路（Ｒ＃１，Ｒ＃２，Ｒ＃３）の入側波長選択スイッチ（１×７ＷＳＳ）７−１１，７−１２，７−１３の出力ポートからの信号光、及び第１乃至第４の挿入部（Ａ＃１，Ａ＃２，Ａ＃３，Ａ＃４）の波長選択スイッチ（１×４ＷＳＳ）７−３１，７−３２，７−３３，７−３４からの信号光が入力される。
【００２９】
第１乃至第４の挿入部（Ａ＃１，Ａ＃２，Ａ＃３，Ａ＃４）の波長選択スイッチ（１×４ＷＳＳ）７−３１，７−３２，７−３３，７−３４には、４０個の異なる波長の信号光を送信する可変波長送信器（ＴＸ）からの信号光を選択して入力する２段構成の波長選択スイッチ（７×１ＷＳＳ）７−５１，・・・７−５４及び７−６１，・・・７−６４が接続される。
【００３０】
また、第１乃至第４の分岐部（Ｄ＃１，Ｄ＃２，Ｄ＃３，Ｄ＃４）の波長選択スイッチ（４×１ＷＳＳ）７−４１，７−４２，７−４３，７−４４には、４０個の異なる波長の信号光を受信する受信器（ＲＸ）への信号光を選択して出力する２段構成の波長選択スイッチ（１×７ＷＳＳ）７−７１，・・・７−７４及び７−８１，・・・７−８４が接続される。
【００３１】
上記の構成例において、第１乃至第４の挿入部（Ａ＃１，・・・Ａ＃４）は、それぞれ、挿入する信号光の出側方路を、各出側方路方路（Ｒ＃１out，Ｒ＃２out，Ｒ＃３out，Ｒ＃４out）の中から任意に選択することができる。また、第１乃至第４の分岐部（Ｄ＃１，・・・Ｄ＃４）は、それぞれ、分岐する信号光の入側方路を、各入側方路方路（Ｒ＃１in，Ｒ＃２in，Ｒ＃３in，Ｒ＃４in）の中から任意に選択することができる。
【発明の開示】
【発明が解決しようとする課題】
【００３２】
前述した関連技術の光伝送装置において、方路数の増減に対しては各方路対応の波長選択スイッチ（ＷＳＳ）７−１１，・・・７−１４及び７−２１，・・・７−２４の数を増減すると共に、各方路対応の波長選択スイッチ（ＷＳＳ）７−１１，・・・７−１４及び７−２１，・・・７−２４並びに分岐挿入用の波長選択スイッチ（ＷＳＳ）７−３１，・・・７−３４及び７−４１，・・・７−４４のポート数を増減しなければならない。
【００３３】
また、波長数の増減に対しては、各挿入部（Ａ＃１，・・・Ａ＃４）における送信器（ＴＸ）からの信号光を選択して各波長選択スイッチ（１×４ＷＳＳ）７−３１，７−３２，７−３３，７−３４の入力ポートに出力する波長選択スイッチ（７×１ＷＳＳ）７−５１，・・・７−５４及び７−６１，・・・７−６４のポート数を増減し、また、各波長選択スイッチ（４×１ＷＳＳ）７−４１，・・・７−４４の出力ポートからの信号光を各分岐部（Ｄ＃１，・・・Ｄ＃４）における受信器（ＲＸ）へ選択して出力する波長選択スイッチ（１×７ＷＳＳ）７−７１，・・・７−７４及び７−８１，・・・７−８４のポート数を増減しなければならない。
【００３４】
図７に示した構成例は、任意の分岐挿入部へ／から任意の方路に対して、任意波長の信号光を分岐／挿入することができるが、図６に示した構成例に比べて、必要な波長選択スイッチ（ＷＳＳ）の数及びそのポート数が増大し、それに伴って、波長選択スイッチ（ＷＳＳ）間を結合する配線数が幾何級数的に増大するため、コスト増加及び装置規模の増大化を招くという問題があった。
【００３５】
本発明は、任意の分岐挿入部へ／から任意の方路に対して、任意波長の信号光を分岐／挿入することができ、かつ、高価な波長選択スイッチ（ＷＳＳ）の使用数を大幅に削減し、それによってそれらの接続のための配線数を削減し、方路数の増減及び波長数の増減に対して容易に対応することができ、装置構成を簡素化して小型化することができる光伝送装置を提供することを目的とする。
【課題を解決するための手段】
【００３６】
上記課題を解決するために、本発明による光伝送装置は、第１の入側方路からの信号光を第２乃至第Ｎ（Ｎは３以上の整数）の出側方路へ、第２乃至第Ｎの入側方路からの信号光を第１の出側方路へ、波長毎に選択して出力する方路対応の方路切り換え用の波長選択スイッチと、挿入部からの信号光を、前記方路切り換え用の波長選択スイッチを介して、前記第１乃至第Ｎの出側方路へ波長毎に選択して出力し、かつ、前記第１乃至第Ｎの入側方路から前記方路切り換え用の波長選択スイッチを介して入力される信号光を波長毎に選択して分岐部へ出力する分岐挿入用の波長選択スイッチと、前記方路切り換え用の波長選択スイッチから出力される各出側方路への各信号光と、前記分岐挿入用の波長選択スイッチから出力される各出側方路への各信号光とを、方路毎に合波して他方路の方路切り換え用の波長選択スイッチへ送出し、かつ他方路から入力される前記合波された信号光を、前記方路切り換え用の波長選択スイッチ及び分岐挿入用の波長選択スイッチへ分波して入力する光カプラを備え、前記方路切り換え用の波長選択スイッチ及び前記分岐挿入用の波長選択スイッチで入出力される信号光が１つの光伝送路内で双方向に伝送される構成としたたことを特徴とする。
【００３７】
また、前記入側方路からの信号光を前記方路切り換え用の波長選択スイッチへ入力し、かつ該方路切り換え用の波長選択スイッチからの信号光を前記出側方路へ出力する方路対応の光サーキュレータを備え、また、前記挿入部からの信号光を前記分岐挿入用の波長選択スイッチへ入力し、かつ該分岐挿入用の波長選択スイッチからの信号光を前記分岐部へ出力する分岐挿入用の光サーキュレータを備えたことを特徴とする。
【００３８】
また、上記の方路対応の光サーキュレータに代えて、前記入側方路からの信号光を前記方路切り換え用の波長選択スイッチへ入力し、該方路切り換え用の波長選択スイッチから前記入側方路への信号光を遮断する光アイソレータと、前記入側方路からの信号光を前記方路切り換え用の波長選択スイッチへ入力し、かつ該方路切り換え用の波長選択スイッチからの信号光を前記入側方路と出側方路とに分岐して出力する光カプラとを、各方路対応に備えたことを特徴とする。
【００３９】
また、上記の分岐挿入用の光サーキュレータに代えて、前記挿入部からの信号光を前記分岐挿入用の波長選択スイッチへ入力し、該分岐挿入用の波長選択スイッチから前記挿入部への信号光を遮断する光アイソレータと、前記挿入部からの信号光を前記分岐挿入用の波長選択スイッチへ入力し、かつ該分岐挿入用の波長選択スイッチからの信号光を前記挿入部と前記分岐部とに分岐して出力する光カプラを備えたことを特徴とする。
【発明の効果】
【００４０】
本発明によれば、各方路対応に設けた方路切り換え用の波長選択スイッチと、各分岐挿入部対応に設けた分岐挿入用の波長選択スイッチと、それらの波長選択スイッチの入出力光信号光を合波・分波する光カプラとを用い、該方路切り換え用の波長選択スイッチと分岐挿入用の波長選択スイッチとで入出力される信号光が１つの光伝送路内で双方向伝送される構成としたことにより、関連技術の光伝送装置の構成例の分岐挿入部に配置されていた、全装置の半数を占める波長選択スイッチを削除することができ、かつ、関連技術の光伝送装置と同様に何れの分岐挿入部から／へ何れの方路に対して任意の波長の信号光分岐／挿入を行うことができるため汎用性が高く、また、波長選択スイッチと比べて安価な光カプラ及び光サーキュレータと光アイソレータ等を用いて構成することができるため、関連技術の光伝送装置等と比べて約５０％近いコスト削減を図ることができる。また、波長選択スイッチの数の削減とともに、それら接続のための配線数も削減されるため、方路数の増減及び波長数の増減に対して容易に対応することができ、装置構成が簡素化され小型化することができる。
【発明を実施するための最良の形態】
【００４１】
図１は本発明による方路数Ｎの光伝送装置における１方路（Ｒ＃１）、１挿入部（Ａ＃１）及び１分岐部（Ｄ＃１）の機能に注目した構成例を示す。同図に示すように、第１の入側方路（Ｒ＃１in）からの信号光を第２乃至第Ｎの出側方路（Ｒ＃２out，・・・Ｒ＃Ｎout）へ、第２乃至第Ｎの入側方路（Ｒ＃２in，・・・Ｒ＃Ｎin）からの信号光を第１の出側方路（Ｒ＃１out）へ波長毎に選択して出力する方路切り換え用の１×Ｎポートの波長選択スイッチ（１×Ｎ＿ＷＳＳ）１−１を備える。
【００４２】
また、第１の挿入部（Ａ＃１）からの信号光を第１乃至第Ｎの出側方路（Ｒ＃１out，・・・Ｒ＃Ｎout）へ波長毎に選択して出力し、かつ、第１の分岐部（Ｄ＃１）へ第１乃至第Ｎの入側方路（Ｒ＃１in，・・・Ｒ＃Ｎin）からの信号光を波長毎に選択して出力する１×Ｎポートの分岐挿入用の波長選択スイッチ（１×Ｎ＿ＷＳＳ）１−２を備える。
【００４３】
また、第１の入側方路（Ｒ＃１in）からの信号光を方路切り換え用の波長選択スイッチ（１×Ｎ＿ＷＳＳ）１−１の入力ポートへ入力し、かつ該波長選択スイッチ（１×Ｎ＿ＷＳＳ）１−１からの信号光を第１の出側方路（Ｒ＃１out）へ出力する方路対応の光サーキュレータ１−３を備える。
【００４４】
また、第１の挿入部（Ａ＃１）からの信号光を分岐挿入用の波長選択スイッチ（１×Ｎ＿ＷＳＳ）１−２へ入力し、かつ該波長選択スイッチ（１×Ｎ＿ＷＳＳ）１−２からの信号光を第１の分岐部（Ｄ＃１）へ出力する分岐挿入用の光サーキュレータ１−４を備える。
【００４５】
更に、方路切り換え用の波長選択スイッチ（１×Ｎ＿ＷＳＳ）１−１から出力される第２乃至第Ｎの出側方路（Ｒ＃２out，Ｒ＃Ｎout）への各信号光と、分岐挿入用の波長選択スイッチ（１×Ｎ＿ＷＳＳ）１−２から出力される第２乃至第Ｎの出側方路（Ｒ＃２out〜Ｒ＃Ｎout）への各信号光とを、方路毎に合波して出力し、かつ第２〜第Ｎの各方路（Ｒ＃２in，・・・Ｒ＃Ｎin）から入力される各信号光を、方路切り換え用及び分岐挿入用の波長選択スイッチ（１×Ｎ＿ＷＳＳ）１−１，１−２の各ポート（ｏ２，・・・ｏＮ）へ分波して入力する光カプラ１−５を備える。
【００４６】
なお、上記の構成において、方路切り換え用及び分岐挿入用の波長選択スイッチ（１×Ｎ＿ＷＳＳ）１−１，１−２を介して入出力される信号光は、１心の光伝送路を通して双方向に送受されるため、方路切り換え用及び分岐挿入用の波長選択スイッチ（１×Ｎ＿ＷＳＳ）１−１，１−２において波長毎に光パワーを制御する機能を使用することはできないことになる。
【００４７】
図１の構成を適用した光伝送装置の構成例として、４０波長の信号光を波長毎に方路数４（Ｎ＝４）のうちの任意の方路へ切り換えて送出することができる光伝送装置の構成例を図２に示す。同図に示すように、前述の方路切り換え用の波長選択スイッチ（１×Ｎ＿ＷＳＳ）１−１に対応する波長選択スイッチ（ＷＳＳ）として、各方路対応に１×４ポートの波長選択スイッチ（１×４ＷＳＳ）２−１１，２−１２，２−１３，２−１４を備える。
【００４８】
各方路対応の波長選択スイッチ（１×４ＷＳＳ）２−１１，２−１２，２−１３，２−１４は、その４出力ポートｏ１，ｏ２，ｏ３，ｏ４のうち３出力ポートｏ２，ｏ３，ｏ４が自方路以外の方路対応の波長選択スイッチ（１×４ＷＳＳ）に、光カプラ２−５１，２−５２，２−５３，２−５４を介して接続され、残りの１出力ポートｏ１が分岐挿入用の４×１ポートの分岐挿入用波長選択スイッチ（４×１ＷＳＳ）２−２１，２−２２，２−２３，２−２４へ接続される。
【００４９】
光カプラ２−５１，２−５２，２−５３，２−５４は、それぞれ、図１で説明した光カプラ１−５と同様に、方路切り換え用の波長選択スイッチ（１×４）から出力される信号光と分岐挿入用の波長選択スイッチ（４×１ＷＳＳ）から出力される信号光とを合波して出力し、かつ、他方路の波長選択スイッチ（１×４ＷＳＳ）から出力される信号光を入力して、自方路の波長選択スイッチ（１×４）と分岐挿入用の波長選択スイッチ（４×１＿ＷＳＳ）の各ポートへ分波して出力する
【００５０】
また、各方路対応の光サーキュレータ２−３１，２−３２，２−３３，２−３４は、図１で説明した光サーキュレータ１−３と同様に、各入側方路（Ｒ＃１in，Ｒ＃２in，Ｒ＃３in，Ｒ＃４in）からの信号光を、方路切り換え用の波長選択スイッチ（１×４ＷＳＳ）２−１１，２−１２，２−１３，２−１４の入力ポートへ入力し、かつ、該波長選択スイッチ（１×４ＷＳＳ）からの信号光を各出側方路（Ｒ＃１out，Ｒ＃２out，Ｒ＃３out，Ｒ＃４out）へ出力する。
【００５１】
また、分岐挿入用波長選択スイッチ（ＷＳＳ）２−２１，２−２２，２−２３，２−２４は、光サーキュレータ２-４１，２−４２，２−４３，２−４４を介して挿入部（Ａ＃１，・・・Ａ＃４）及び分岐部（Ｄ＃１，・・・Ｄ＃４）に接続される。挿入部（Ａ＃１，・・・Ａ＃４）は、４０個の異なる波長の信号光を送信する送信器ＴＸ（図示省略）を備え、分岐部（Ｄ＃１，・・・Ｄ＃４）は、４０個の異なる波長の信号光を受信する受信器ＲＸ（図示省略）を備える。
【００５２】
上記送信器ＴＸ又は受信器ＲＸが可変波長のものである場合、それぞれ、７×１ポートの波長選択スイッチ（７×１ＷＳＳ）を２段に接続して構成した波長選択手段を介して、４０個の送信器ＴＸ又は受信器ＲＸを、光サーキュレータ２-４１，２−４２，２−４３，２−４４に接続する。
【００５３】
上記送信器ＴＸ又は受信器ＲＸが固定波長のものである場合、４０波長分の信号光を送信又は受信する複数の送信器ＴＸ又は受信器ＲＸの出力信号光又は入力信号光を結合する光カプラを用いて前記光サーキュレータ２-４１，２−４２，２−４３，２−４４に接続する構成としても良い。
【００５４】
次に、本発明の別の実施形態を図３及び図４に示す。図３は、図１に示した方路対応の光サーキュレータ１−３及び分岐挿入用の光サーキュレータ１−４の代わりに、それぞれ２×１光カプラと光アイソレータとを用いて同等の機能を実現する構成例を示している。また、図４は図３の構成例を適用し、４０波長の信号光を波長毎に方路数４（Ｎ＝４）のうちの任意の方路を選択して信号光を送出する光伝送装置の構成例を示す。
【００５５】
図３において、方路対応の光カプラ３−１１は、第１の入側方路（Ｒ＃１in）からの信号光を方路切り換え用の波長選択スイッチ（１×Ｎ＿ＷＳＳ）１−１の入力ポートへ入力し、また、該波長選択スイッチ（１×Ｎ＿ＷＳＳ）１−１からの信号光を、第１の入側方路（Ｒ＃１in）及び出側方路（Ｒ＃１out）へ分岐して出力する。
【００５６】
しかし、入側方路（Ｒ＃１in）の光伝送路には光アイソレータ３−１２が挿入され、該光アイソレータ３−１２は、入側方路（Ｒ＃１in）から入力される信号光を光カプラ３−１１の方向に通過させるが、光カプラ３−１１からの信号光を入側方路（Ｒ＃１in）の方向へ通過させることなく遮断する。従って、第１の入側方路（Ｒ＃１in）からの信号光は、方路切り換え用の波長選択スイッチ（１×Ｎ＿ＷＳＳ）１−１の入力ポートへ入力され、第１の波長選択スイッチ（１×Ｎ＿ＷＳＳ）１−１からの信号光は、出側方路（Ｒ＃１out）にのみ出力される。
【００５７】
また、分岐挿入用の光カプラ３−２１は、第１の挿入部（Ａ＃１）からの信号光を分岐挿入用の波長選択スイッチ（１×Ｎ＿ＷＳＳ）１−２の入力ポートへ入力し、また、該波長選択スイッチ（１×Ｎ＿ＷＳＳ）１−２からの信号光を、第１の挿入部（Ａ＃１）及び分岐部（Ｄ＃１）へ分岐して出力する。
【００５８】
しかし、挿入部（Ａ＃１）への光伝送路には光アイソレータ３−２２が挿入され、該光アイソレータ３−２２は、挿入部（Ａ＃１）から入力される信号光を光カプラ３−２１の方向へは通過させるが、光カプラ３−２１からの信号光を挿入部（Ａ＃１）の方向へ通過させることなく遮断する。従って、挿入部（Ａ＃１）からの信号光は、分岐挿入用の波長選択スイッチ（１×Ｎ＿ＷＳＳ）１−２の入力ポートへ入力され、該波長選択スイッチ（１×Ｎ＿ＷＳＳ）１−２からの信号光は、分岐部（Ｄ＃１）にのみ出力される。
【００５９】
図４に示した構成は、図２に示した構成における方路対応の光サーキュレータ２−３１，２−３２，２−３３，２−３４を、それぞれ、光カプラ４−１１，４−１２，４−１３，４−１４及び光アイソレータ４−２１，４−２２，４−２３，４−２４に置き換え、また、分岐挿入用の光サーキュレータ２−４１，２−４２，２−４３，２−４４を、それぞれ、光カプラ４−３１，・・・４−３４及び光アイソレータ４−４１，・・・４−４４に置き換えたもので、その他の構成は図２に示したものと同様である。
【００６０】
図２及び図４の何れの構成の場合でも、波長数の増減を行う際には、各方路対応の波長選択スイッチ（１×４ＷＳＳ）２−１１，・・・２−１４と、挿入分岐用の波長選択スイッチ（４×１ＷＳＳ）２−２１，・・・２ー２４のポート数を増減すればよい。なお、本発明の光伝送装置の変形例として、図１乃至図４に示した構成以外に、各方路対応の光サーキュレータ並びに各分岐挿入用の光サーキュレータを、部分的に光カプラ及び光アイソレータの組み合わせに代えて構成することも可能であり、光サーキュレータや光カプラと等価なものを用いるなど、本発明の趣旨を逸脱しない範囲で種々の変形が可能である。
【００６１】
図７に示した関連技術による光伝送装置の構成例と図２に示した本発明による光伝送装置の構成例との機能差を図５の表１乃至表４．２に示す。なお、これらの表１乃至表４．２は、第１の方路（Ｒ＃１）に注目した場合の信号光の方路切り換え機能及び分岐挿入機能について示している。
【００６２】
図５の各表において、例えば表１の他方路への切り換え機能の「Ｒ＃１→Ｒ＃２」と分岐挿入機能の「Ａ＃１→Ｒ＃１、Ｒ＃１→Ｄ＃１」との交点の升目等に示す「△」は、「Ｒ＃１→Ｒ＃２」の他方路への切り換え機能と「Ａ＃１→Ｒ＃１、Ｒ＃１→Ｄ＃１」の分岐挿入機能の何れか一方の機能が実行可能であることを示している。他の升目の「△」についても同様である。
【００６３】
また、例えば表１の他方路への切り換え機能の「Ｒ＃１→Ｒ＃２」と分岐挿入機能の「Ａ＃１→Ｒ＃３、Ｒ＃３→Ｄ＃１」との交点の升目に示す「○」は、他方路への切り換え機能と分岐挿入機能との両方の機能が同時に実行可能であることを示している。他の升目の「○」についても同様である。
【００６４】
図７の関連技術の構成例において、第１の方路（Ｒ＃１）から第２の方路（Ｒ＃２）への方路切り換え機能を実施しているとき、その信号光と同一波長の信号光は、第１の入側波長選択スイッチ（１×４ＷＳＳ）により第２の出側長選択スイッチ（４×１ＷＳＳ）にのみ出力されるため、該信号光を何れの分岐部でも取り出すことができない。即ち、「Ｒ＃１→Ｒ＃２」と「Ｒ＃１→Ｄ＃１」とを同一波長で実施することはできず、その一方のみの機能しか実行できない。このことは、第１の方路（Ｒ＃１）から第３の方路（Ｒ＃３）及び第４の方路（Ｒ＃４）への方路切り換え機能を実施しているときも同様である。
【００６５】
また、図７の関連技術の構成例において、第１の方路（Ｒ＃１）から第２の方路（Ｒ＃２）への方路切り換え機能を実施しているとき、その信号光と同一波長の信号光を、第１の挿入部（Ａ＃１）から第２の方路（Ｒ＃２）へ挿入することはできない。同様に、第１の方路（Ｒ＃１）から第３の方路（Ｒ＃３）への方路切り換え機能を実施しているとき、その信号光と同一波長の信号光を、第１の挿入部（Ａ＃１）から第３の方路（Ｒ＃３）へ挿入することができない。また、同様に、第１の方路（Ｒ＃１）から第４の方路（Ｒ＃４）への方路切り換え機能を実施しているとき、その信号光と同一波長の信号光を、第１の挿入部（Ａ＃１）から第４の方路（Ｒ＃４）へ挿入することができない。
【００６６】
従って、表１に「△」で示すとおりとなる。そのほかの組み合わせ、例えば、第１の方路（Ｒ＃１）から第２の方路（Ｒ＃２）への方路切り換え機能を実施しているとき、第１の挿入部（Ａ＃１）から第３の方路（Ｒ＃３）へ何れの波長の信号光を挿入するも可能であり、また、第３の方路（Ｒ＃３）から第１の分岐部（Ｄ＃１）へ何れの波長の信号光を分岐することも可能である。表１に「○」で示すその他の組み合わせについても同様に同時に実行可能である。
【００６７】
一方、図２又は図４に示した本発明による光伝送装置の構成例における方路切り換え機能及び分岐挿入機能を表２に示す。表１と表２とから分かるように、本発明による光伝送装置は、関連技術の光伝送装置と比べて機能の低下は無く、むしろ、表３．１、表３．２、表４．１及び表４．２に示すように機能が向上している。表３．１、表３．２、表４．１及び表４．２は、表１及び表２の分岐挿入機能を、分岐機能と挿入機能とに分けて示したものである。
【００６８】
以下、表３．１、表３．２、表４．１及び表４．２を参照して、関連技術による構成例と本発明による構成例との機能差について説明する。まず、関連技術の構成例における挿入機能について説明すると、表３．１に示すように、第１の方路（Ｒ＃１in）から第２の方路（Ｒ＃２out）への方路切り換え機能を実施しているとき、その信号光と同一波長の信号光を、第１の挿入部（Ａ＃１）から第２の方路（Ｒ＃２out）へ挿入することはできない。
【００６９】
また、第１の方路（Ｒ＃１in）から第２の方路（Ｒ＃２out）への方路切り換え機能を実施しているとき、双方向通信のため、第２の方路（Ｒ＃２in）から第１の方路（Ｒ＃１out）への方路切り換え機能も実施される。そのため、第２の方路（Ｒ＃２in）から第１の方路（Ｒ＃１out）への方路切り換え機能で使用されている信号光と同一波長の信号光を、第１の挿入部（Ａ＃１）から第１の方路（Ｒ＃１out）へ挿入することはできない。
【００７０】
同様に、第１の方路（Ｒ＃１in）から第３の方路（Ｒ＃３out）への方路切り換え機能を実施しているとき、第１の挿入部（Ａ＃１）から第１の方路（Ｒ＃１out）へ挿入すること及び第１の挿入部（Ａ＃１）から第３の方路（Ｒ＃３out）へ挿入することは、同一波長の信号光が衝突する場合があるため、任意の波長で実施することができない。
【００７１】
同様の理由で、第１の方路（Ｒ＃１in）から第４の方路（Ｒ＃４out）への方路切り換え機能を実施しているとき、第１の挿入部（Ａ＃１）から第１の方路（Ｒ＃１out）へ挿入すること及び第１の挿入部（Ａ＃１）から第４の方路（Ｒ＃４out）へ挿入することは、任意の波長で実施することができない。従って、表３．１に示すとおりとなる。
【００７２】
次に、表３．２に示す関連技術の構成例における分岐機能について説明すると、第１の方路（Ｒ＃１in）から第２の方路（Ｒ＃２out）への方路切り換え機能を実施しているとき、その信号光と同一波長の信号光は、第１の入側波長選択スイッチ（１×７ＷＳＳ）により第２の出側長選択スイッチ（４×１ＷＳＳ）にのみ出力されるため、該信号光を何れの分岐部でも取り出すことができない。即ち、「Ｒ＃１→Ｒ＃２」と「Ｒ＃１→Ｄ＃１」とを同一波長で実施することはできず、その一方のみの機能しか実行できない。
【００７３】
また、第１の方路（Ｒ＃１in）から第２の方路（Ｒ＃２out）への方路切り換え機能を実施しているとき、双方向通信のため、第２の方路（Ｒ＃２in）から第１の方路（Ｒ＃１out）への方路切り換え機能も実施される。そのため、第２の方路（Ｒ＃２in）から第１の方路（Ｒ＃１out）への方路切り換え機能で実施されている信号光と同一波長の信号光を、第２の方路（Ｒ＃２in）から第１の分岐部（Ｄ＃１）に取り出すことはできない。
【００７４】
同様に、第１の方路（Ｒ＃１in）から第３の方路（Ｒ＃３out）への方路切り換え機能を実施しているとき、第１の方路（Ｒ＃１in）から第１の分岐部（Ｄ＃１）へ分岐すること及び第３の方路（Ｒ＃３in）から第１の分岐部（Ｄ＃１）へ分岐することは、任意の波長で実施することができない。
【００７５】
同様に、第１の方路（Ｒ＃１in）から第４の方路（Ｒ＃４out）への方路切り換え機能を実施しているとき、第１の方路（Ｒ＃１in）から第１の分岐部（Ｄ＃１）へ分岐すること及び第４の方路（Ｒ＃４in）から第１の分岐部（Ｄ＃１）へ分岐することは、任意の波長で実施することができない。従って、表３．２に示すとおりとなる。
【００７６】
これに対して、本発明の構成例における挿入機能については、表４．１に示すように、第１の方路（Ｒ＃１in）から第２の方路（Ｒ＃２out）への方路切り換え機能を実施しているとき、その信号光と同一波長の信号光を、第１の挿入部（Ａ＃１）から第２の方路（Ｒ＃２out）へ挿入することはできない。
【００７７】
また、第１の方路（Ｒ＃１in）から第２の方路（Ｒ＃２out）への方路切り換え機能を実施しているとき、双方向通信のため、第２の方路（Ｒ＃２in）から第１の方路（Ｒ＃１out）への方路切り換え機能も実施される。そのため、第２の方路（Ｒ＃２in）から第１の方路（Ｒ＃１out）への方路切り換え機能で使用されている信号光と同一波長の信号光を、第１の挿入部（Ａ＃１）から第１の方路（Ｒ＃１out）へ挿入することはできない。
【００７８】
同様に、第１の方路（Ｒ＃１in）から第３の方路（Ｒ＃３out）への方路切り換え機能を実施しているとき、第１の挿入部（Ａ＃１）から第１の方路（Ｒ＃１out）へ挿入すること及び第１の挿入部（Ａ＃１）から第３の方路（Ｒ＃３out）へ挿入することは、任意の波長で実施することができない。
【００７９】
同様に、第１の方路（Ｒ＃１in）から第４の方路（Ｒ＃４out）への方路切り換え機能を実施しているとき、第１の挿入部（Ａ＃１）から第１の方路（Ｒ＃１out）へ挿入すること及び第１の挿入部（Ａ＃１）から第４の方路（Ｒ＃４out）へ挿入することは、任意の波長で実施することができない。従って、表４．１に示すとおりとなる。
【００８０】
次に、表４．２に示す本発明の構成例における分岐機能について説明すると、第１の方路（Ｒ＃１in）から第２の方路（Ｒ＃２out）への方路切り換え機能を実施しているとき、その信号光と同一波長の信号光は、第１の入側波長選択スイッチ（１×４ＷＳＳ）により第２の出側長選択スイッチ（１×４ＷＳＳ）に出力されるため、該信号光を第２の分岐部（Ｄ＃２）で取り出すことはできるが、第１の分岐部（Ｄ＃１）で取り出すことはできない。
【００８１】
しかし、第１の方路（Ｒ＃１in）から第２の方路（Ｒ＃２out）への方路切り換え機能を実施しているとき、双方向通信のため、第２の方路（Ｒ＃２in）から第１の方路（Ｒ＃１out）への方路切り換え機能も実施され、第２の方路（Ｒ＃２in）から第１の方路（Ｒ＃１out）への信号光は、光カプラ２−５１により第１の分岐部（Ｄ＃１）に取り出すことができる。
【００８２】
同様に、第１の方路（Ｒ＃１in）から第３の方路（Ｒ＃３out）への方路切り換え機能を実施しているとき、その信号光と同一波長の信号光は、第１の入側波長選択スイッチ（１×４ＷＳＳ）により第３の出側長選択スイッチ（１×４ＷＳＳ）に出力されるため、該信号光を第３の分岐部（Ｄ＃３）で取り出すことはできるが、第１の分岐部（Ｄ＃１）で取り出すことはできない。
【００８３】
しかし、第１の方路（Ｒ＃１in）から第３の方路（Ｒ＃２out）への方路切り換え機能を実施しているとき、双方向通信のため、第３の方路（Ｒ＃３in）から第１の方路（Ｒ＃１out）への方路切り換え機能も実施され、第３の方路（Ｒ＃３in）から第１の方路（Ｒ＃１out）への信号光は、光カプラ２−５１により第１の分岐部（Ｄ＃１）に取り出すことができる。
【００８４】
同様に、第１の方路（Ｒ＃１in）から第４の方路（Ｒ＃４out）への方路切り換え機能を実施しているとき、その信号光と同一波長の信号光は、第１の入側波長選択スイッチ（１×４ＷＳＳ）により第４の出側長選択スイッチ（１×４ＷＳＳ）に出力されるため、該信号光を第４の分岐部（Ｄ＃４）で取り出すことはできるが、第１の分岐部（Ｄ＃１）で取り出すことはできない。
【００８５】
しかし、第１の方路（Ｒ＃１in）から第４の方路（Ｒ＃２out）への方路切り換え機能を実施しているとき、双方向通信のため、第４の方路（Ｒ＃４in）から第１の方路（Ｒ＃１out）への方路切り換え機能も実施され、第４の方路（Ｒ＃４in）から第１の方路（Ｒ＃１out）への信号光は、光カプラ２−５１により第１の分岐部（Ｄ＃１）に取り出すことができる。従って、表４．２に示すとおりとなる。
【００８６】
表３．１及び表３．２に示す挿入機能と分岐機能とを纏めた表が表１であり、表４．１及び表４．２に示す挿入機能と分岐機能とを纏めた表が表２である。表１と表２とを比べた限りでは、本発明による分岐挿入装置と関連技術の分岐挿入装置とに機能上の差異は無いが、表３．２と表４.２とを比べると分かるように、本発明による分岐挿入装置は、関連技術の分岐挿入装置に比べて分岐機能の点で機能が拡大されていることになる。
【図面の簡単な説明】
【００８７】
【図１】本発明の光伝送装置における１方路及び１挿入分岐部に注目した構成例を示す図である。
【図２】本発明における方路数４の光伝送装置の構成例を示す図である。
【図３】本発明の光伝送装置における１方路及び１挿入分岐部に注目した別の構成例を示す図である。
【図４】本発明における方路数４の光伝送装置の別の構成例を示す図である。
【図５】関連技術の光伝送装置と本発明の光伝送装置との機能差を示す図である。
【図６】波長選択スイッチ（ＷＳＳ）を適用した従来の光伝送装置の構成例を示す図である。
【図７】本発明に関連した技術による光伝送装置の構成例を示す図である。
【符号の説明】
【００８８】
１−１  １×Ｎポートの方路切り換え用の波長選択スイッチ
１−２  １×Ｎポートの分岐挿入用の波長選択スイッチ
１−３  方路対応の光サーキュレータ
１−４  分岐挿入用の光サーキュレータ
１−５  光カプラ
【図１】
2008060773.tif 000003
【図２】
2008060773.tif 000004
【図３】
2008060773.tif 000005
【図４】
2008060773.tif 000006
【図５】
2008060773.tif 000007
【図６】
2008060773.tif 000008
【図７】
2008060773.tif 000009